(57)【要約】【課題】本発明は、簡単な構成で建築物の屋根の解体作業が容易に且つ屋根面全ての解体作業時に安全に出来る親綱固定アンカー構造及び親綱の設置方法を提供することを可能にすることを目的としている。【解決手段】解体される屋根１のアンカー２を取り付ける部位で、その屋根１の野地板５が露出され、その露出した野地板５及び垂木材６にアンカー２のアンカー部２ｂが打設され、該アンカー２の環状部2c2にカラビナ７を介して親綱３を連結した構成であることを特徴とする。【選択図】      図１
2004197359.tif 000002
【特許請求の範囲】
【請求項１】
建築物の屋根の解体における親綱固定アンカー構造であって、
解体される屋根に親綱を固定するためのアンカーを取り付ける部位で、その屋根の構造体或いはそれに強固に固定された下地材が露出され、その露出した該構造体或いは下地材に親綱が連結可能なアンカーが固定されたことを特徴とする親綱固定アンカー構造。
【請求項２】
前記アンカーは、ナット部が設けられたアンカー部と、該ナット部に螺合し得るボルト部が設けられたＯボルトとを有し、前記露出した構造体或いは下地材に固定されたアンカー部のナット部に前記Ｏボルトのボルト部を螺合したことを特徴とする請求項１に記載の親綱固定アンカー構造。
【請求項３】
建築物の屋根の解体における親綱の設置方法であって、
解体される屋根の少なくとも屋根仕上材の一部を除去して親綱を固定するためのアンカーが取り付け可能な部位を特定し、その特定した部位で、その屋根の構造体或いはそれに強固に固定された下地材を露出させた後、その露出した該構造体或いは下地材にアンカーを固定し、そのアンカーに親綱を連結することを特徴とする親綱の設置方法。
【発明の詳細な説明】
【０００１】
【発明の属する技術分野】
本発明は、建築物の屋根の解体における親綱固定アンカー構造及び親綱の設置方法に関するものである。
【０００２】
【従来の技術】
従来、建築物の屋根施工作業のために親綱を設置する技術が各種提案されている（例えば、特許文献１参照。）。
【０００３】
また、2002年5月31日付けで施行された「建設工事に係わる資材の再資源化等に関する法律」により既存の建築物を解体する場合には、従来のように一挙にパワーショベル等で解体し、瓦礫をまとめて回収するのではなく、分別解体が基本となっており、例えば、屋根の解体等では屋根瓦を分別するために手作業によって解体、回収作業を行うようになっている。
【０００４】
【特許文献１】
特開平８−８２０６２号公報
【０００５】
【発明が解決しようとする課題】
しかしながら、屋根瓦の解体作業中は安全帯を取り付ける場所もなく、足元も解体中のため不安定であることから墜転落事故が発生する虞があり、解体中の建築物の周囲に別途、仮設足場等を用意して、これに安全帯を連結する等の対策が必要であった。
【０００６】
また、特許文献１の技術を解体作業に利用する場合、屋根の頂部でしか親綱が設置出来ないため屋根面全ての作業領域をカバー出来ず、例えば、屋根の軒先での作業が不便となるという問題がある。
【０００７】
本発明は前記課題を解決するものであり、その目的とするところは、簡単な構成で建築物の屋根の解体作業が容易に且つ屋根面全ての解体作業時に安全に出来る親綱固定アンカー構造及び親綱の設置方法を提供せんとするものである。
【０００８】
【課題を解決するための手段】
前記目的を達成するための本発明に係る親綱固定アンカー構造は、建築物の屋根の解体における親綱固定アンカー構造であって、解体される屋根に親綱を固定するためのアンカーを取り付ける部位で、その屋根の構造体或いはそれに強固に固定された下地材が露出され、その露出した該構造体或いは下地材に親綱が連結可能なアンカーが固定されたことを特徴とする。
【０００９】
本発明は、上述の如く構成したので、屋根の解体作業を行う目的の場所の近傍で屋根の構造体或いはそれに強固に固定された下地材にアンカーが固定されており、そのアンカーに親綱を連結して屋根の解体作業が容易に且つ安全に出来る。
【００１０】
また、前記アンカーは、ナット部が設けられたアンカー部と、該ナット部に螺合し得るボルト部が設けられたＯボルトとを有し、前記露出した構造体或いは下地材に固定されたアンカー部のナット部に前記Ｏボルトのボルト部を螺合した場合には、親綱の取り付け取り外しが簡単であり、親綱をＯボルトに締結した状態で移動することが出来る。また、アンカー部を一般の電動工具を用いて用意に屋根の構造体或いは下地材に取り付けることが出来る。
【００１１】
また、本発明に係る親綱の設置方法は、建築物の屋根の解体における親綱の設置方法であって、解体される屋根の少なくとも屋根仕上材の一部を除去して親綱を固定するためのアンカーが取り付け可能な部位を特定し、その特定した部位で、その屋根の構造体或いはそれに強固に固定された下地材を露出させた後、その露出した該構造体或いは下地材にアンカーを固定し、そのアンカーに親綱を連結することを特徴とする。
【００１２】
上記方法によれば、解体作業者は、安全ベルトを装着すると共に、軽量なアンカーと、そのアンカー固定治具と、親綱と安全帯とを所持して、屋根の解体作業を行う目的の場所の近傍において、屋根仕上材等を部分的に除去して、アンカーが取り付け可能な部位を特定し、その特定したアンカーを取り付ける部位で、その屋根の構造体或いはそれに強固に固定された下地材を部分的に露出させた後、その露出した該構造体或いは下地材に所持したアンカーを打設等により固定し、そのアンカーに親綱を連結することが出来る。
【００１３】
アンカーを屋根の所望の位置で、その屋根の構造体或いはそれに強固に固定された下地材に固定することで親綱を所望の位置に設置することが出来、屋根の頂部付近のみならず軒先等の解体作業も容易に且つ安全に出来る。
【００１４】
【発明の実施の形態】
図により本発明に係る親綱固定アンカー構造及び親綱の設置方法の一実施形態を具体的に説明する。図１は本発明に係る親綱固定アンカー構造を示す斜視説明図、図２は屋根の構造体にアンカーを固定する様子を示す分解斜視図、図３は他のアンカーの構成を示す図である。
【００１５】
図１において、１は解体される既設建築物の屋根であり、２は親綱３を連結するためのアンカーである。本実施形態のアンカー２は、図２に示すように、ナット部２ａと、ニードル形状で螺旋状の突条が設けられたアンカー部２ｂとが溶接等により固定されており、該ナット部２ａに螺合締着して固定されるＯボルト２ｃを有して構成されている。
【００１６】
そして、解体する既設建築物の設計図を参照する等して、アンカー２が取り付けられそうな部位で屋根１の屋根瓦４等の屋根仕上材等を部分的に除去し、アンカー２が取り付け可能な部位を特定する。アンカー２が取り付け可能な部位を特定する具体的な手段としては、屋根仕上材等を除去した後、露出した野地板５に打ち込まれた釘の頭等の位置を目安にすることが出来る。
【００１７】
そして、その特定したアンカー２を取り付ける部位で、該屋根１の構造体やこれに強固に固定された下地材等を露出させる。図１では下地材となる野地板５を露出させた様子を示す。
【００１８】
図１及び図２に示すように、野地板５を露出させ、Ｏボルト２ｃを取り付けない状態でナット部２ａが設けられたアンカー部２ｂを野地板５の上面側からハンマー等により野地板５及び構造体となる垂木材６に打設して固定した後、ナット部２ａにＯボルト２ｃのボルト部2c1を螺合締着する。
【００１９】
一対のアンカー２のＯボルト２ｃの環状部2c2にカラビナ７を介して親綱３の両端部を係止し、該親綱３に作業者８が装着した安全ベルトに連結された安全帯９を連結する。アンカー２相互の間隔は１０ｍ程度以内で親綱３に対して１５０ｋｇを支えられるようにしている。
【００２０】
上記構成によれば、解体作業者８は、安全ベルトを装着すると共に、軽量なアンカー２と、そのアンカー２を固定するためのハンマー等の固定治具と、親綱３と安全帯９等を所持して、屋根１の解体作業を行う目的の場所の近傍において、屋根瓦４等の屋根仕上材等を部分的に除去して、アンカー２が取り付け可能な部位を特定し、その特定した部位で、屋根１の構造体或いはそれに強固に固定された下地材となる野地板５を部分的に露出させた後、その露出した下地材となる野地板５や構造体となる垂木材６に対して所持したアンカー２を打設等により固定し、そのアンカー２に親綱３を連結し、その親綱３に作業者８が装着した安全ベルトに連結された安全帯９を連結することが出来る。
【００２１】
アンカー２を屋根１の所望の位置で、その屋根１の構造体となる垂木材６やそれに強固に固定された下地材となる野地板５に固定することで親綱３を所望の位置に設置することが出来、簡単な構成で、屋根１の頂部付近のみならず軒先等の解体作業も容易に且つ安全に出来る。また、作業性を向上出来るので工期が短縮出来る。
【００２２】
また、解体作業用の仮設足場の簡易化や省略化が出来、解体作業にかかるコストを低減出来る。また、アンカー２が軽量小型であるため持ち運びや携帯が容易であり現場への輸送効率も良い。
【００２３】
また、作業位置を移動したい場合等は、予めナット部２ａが固定されたアンカー部２ｂを多数携帯しておき、移動する目的の場所の近傍において、屋根瓦４等の屋根仕上材等を除去して野地板５を露出させ、予備に携帯したナット部２ａが設けられたアンカー部２ｂを、露出した野地板５の上面側からハンマー等により野地板５及び垂木材６に打設して固定した後、先に取り付けたアンカー２から親綱３が連結されたＯボルト２ｃを取り外して、移動先に打設したアンカー２のナット部２ａに、その親綱３が連結されたＯボルト２ｃのボルト部2c1を螺合締着することで作業位置の移動が容易に且つ安全に出来る。
【００２４】
前記実施形態では、アンカー２の親綱３を連結する部分をＯボルト２ｃにより構成した一例であるが、Ｏボルト２ｃの代わりに、図３（ａ）に示すように、棒体を湾曲して略Ｏ形状に形成された丸カンボルト11を採用することが出来る。この丸カンボルト11のボルト部11ａをナット部２ａに螺合締着すると共に、環状部11ｂにカラビナ７を介して親綱３を連結することが出来る。
【００２５】
また、図３（ｂ）は前記アンカー２のアンカー部２ｂと環状部2c2とを溶接等により一体的に構成したものである。この場合、上記のようにナット部２ａが不要である。これ等の構成であっても前述と同様に構成して同様な効果を得ることが出来るものである。
【００２６】
【発明の効果】
本発明は、上述の如き構成と作用とを有するので、簡単な構成で建築物の屋根の解体作業が容易に且つ安全に出来る。
【００２７】
即ち、本発明に係る親綱固定アンカー構造によれば、屋根の解体作業を行う目的の場所の近傍で屋根の構造体或いはそれに強固に固定された下地材にアンカーが固定されており、そのアンカーに親綱を連結して屋根の解体作業が容易に且つ安全に出来る。
【００２８】
また、アンカーは、ナット部が設けられたアンカー部と、該ナット部に螺合し得るボルト部が設けられたＯボルトとを有し、露出した構造体或いは下地材に固定されたアンカー部のナット部にＯボルトのボルト部を螺合した場合には、親綱の取り付け取り外しが簡単であり、親綱をＯボルトに締結した状態で移動することが出来る。また、アンカー部を一般の電動工具を用いて用意に屋根の構造体或いは下地材に取り付けることが出来る。
【００２９】
また、本発明に係る親綱の設置方法によれば、解体作業者は、安全ベルトを装着すると共に、軽量なアンカーと、そのアンカー固定治具と、親綱と安全帯とを所持して、屋根の解体作業を行う目的の場所の近傍において、屋根仕上材等を部分的に除去して、アンカーが取り付け可能な部位を特定し、その特定した部位で屋根の構造体或いはそれに強固に固定された下地材を部分的に露出させた後、その露出した該構造体或いは下地材に所持したアンカーを打設等により固定し、そのアンカーに親綱を連結することが出来る。
【００３０】
また、アンカーを屋根の所望の位置で、その屋根の構造体或いはそれに強固に固定された下地材に固定することで親綱を所望の位置に設置することが出来、屋根の頂部付近のみならず軒先等の解体作業も容易に且つ安全に出来る。
【図面の簡単な説明】
【図１】本発明に係る親綱固定アンカー構造を示す斜視説明図である。
【図２】屋根の構造体にアンカーを固定する様子を示す分解斜視図である。
【図３】他のアンカーの構成を示す図である。
【符号の説明】
１…屋根
２…アンカー
２ａ…ナット部
２ｂ…アンカー部
２ｃ…Ｏボルト
2c1…ボルト部
2c2…環状部
３…親綱
４…屋根瓦
５…野地板
６…垂木材
７…カラビナ
８…作業者
９…安全帯
11…丸カンボルト
11ａ…ボルト部
11ｂ…環状部
【図１】
2004197359.tif 000003
【図２】
2004197359.tif 000004
【図３】
2004197359.tif 000005